(57)【要約】【課題】天井裏での組み立てが不要であり、且つ天井材の上面に確実に固定することができるダウンライト型照明器具の補強部材を提供する。【解決手段】ダウンライト型照明器具取付用の補強部材１は、天井材１０に穿設されたダウンライト型照明器具Ａの埋込孔１１の内周面の周長の半分以下の長さで、その高さＨが天井材１０の厚みＴより小さく、前記埋込孔１１の内周面に合わせて円弧状に曲げられる保護辺部２と、前記保護辺部２の一辺から折り曲げて形成され、天井材１０の上面１０ａを覆う被覆片部３と、前記保護片部２の他辺から前記被覆片部３と同方向に折り曲げられた爪部４とで構成されている。【選択図】図１
2019067646.tif 000002
【特許請求の範囲】
【請求項１】
天井材に穿設されたダウンライト型照明器具の埋込孔の内周面の周長の半分以下の長さで、その高さが天井材の厚みより小さく、前記埋込孔の内周面に合わせて円弧状に曲げられる保護辺部と、
前記保護辺部の一辺から折り曲げて形成され、天井材の上面を覆う被覆片部と、
前記保護片部の他辺から前記被覆片部と同方向に折り曲げられた爪部とで構成されていることを特徴とするダウンライト型照明器具取付用の補強部材。
【請求項２】
ダウンライト本体の埋込孔が形成された天井材と、
保護辺部が前記埋込孔の内周面に沿って配設されると共に、被覆片部３が天井材の上面を覆うように配設され、且つ爪部が前記内周面に打ち込まれた請求項１に記載の補強部材と、
前記埋込孔に挿入され、前記保護辺部と前記被覆片部との境界角部に弾接してダウンライト本体を前記埋込孔に固定するための取付ばねを有するダウンライト本体とで構成されたことを特徴とするダウンライト型照明器具の取付構造。 
【発明の詳細な説明】
【技術分野】
【０００１】
本発明は、天井材に穿設した埋込孔への埋め込み型ダウンライトの取付構造において、天井材の材質に関係なくダウンライト本体を無理なく取り付けできる補強部材とその取付構造に関する。
【背景技術】
【０００２】
天井材は、防火上の観点からロックウール板や石膏ボードなどが使用されている。このような天井材は柔らかく、或いは脆く、正確なダウンライト装着用の埋込孔を穿設することが困難であるだけでなく、この埋込孔にダウンライト本体を嵌め込もうとした時に、過ってダウンライト本体を埋込孔の孔縁にぶつけたり、無理に押し込もうとした時、脆い埋込孔の孔縁が欠けてしまうというようなことがあった。
また、ダウンライト本体を埋込孔に装着する時、ダウンライトの側面に上向き、且つ２方向、或いは３方向に末広がり状に伸びた取付ばねを埋込孔に弾接して固定するため、孔縁が凹んだり、欠けたりするというようなこともあった。そこで、このような材質の天井材であっても、埋込孔を損傷することなくダウンライト本体を取り付けできるようにする発明が提案された（特許文献１）。
【０００３】
この発明は、前記埋込孔を補強するための補強金具を天井材の上面に該埋込孔に合致して設けたもので、この補強金具の装着孔に取付ばねが弾接するようにダウンライト本体を装着し、前記埋込孔に取付ばねが直接接触しないようにしたものである。補強金具は、円弧状の切り欠きを持つ、該補強金具を２分割したハーフサイズの金具で構成され、組み立てると中央に前記埋込孔に合致したサイズの装着孔を有する補強金具となる。ハーフサイズの金具同士は、接合端に設けられた鉤脚と受け穴の嵌め合いで接続される。
【０００４】
このハーフサイズの金具を、天井材の埋込孔を通して室内側から天井裏に挿入し、室内側から埋込孔に手を挿入してこれらを天井裏で組み立て、補強金具の装着孔を天井材の埋込孔に合わせた状態で天井材の上面に載置し、埋込孔の周囲を補強する。この状態でダウンライト本体を組み付ける。この時、埋込孔が予定形状に対して歪んでいるか或いは大き過ぎる場合であっても、補強金具の装着孔が正確であるため、がたつきなくダウンライト本体を補強金具に的確に取り付けることができる。
なお、補強金具の装着孔の所々に設けた爪を天井材の埋込孔の内側に沿わせ、補強金具の不所望な動きを規制するようにしている。
【先行技術文献】
【特許文献】
【０００５】
【特許文献１】特開平１０−６９８１３号公報
【発明の概要】
【発明が解決しようとする課題】
【０００６】
しかしながら、この補強金具は爪を設けて埋込孔の内面に沿わせているものの、全体としては天井材の上面に載置されているだけで接着固定されているわけではない。従って、２方向（或いは３方向）に広がっている取付ばねを内側にすぼめて室内側からダウンライト本体を天井材の埋込孔に挿入し、補強金具の装着孔に装着しようとする時にダウンライト本体が下から接触して補強金具がずれやすく、この時、天井材の埋込孔にダウンライト本体や取付ばねが接触して埋込孔の孔縁を破損させる恐れがあった。しかも、この補強金具は爪を設けてはいるものの埋込孔が大き過ぎる場合には、爪は埋込孔の内周面から離れてしまい用をなさない。
加えて、室内側から天井材の埋込孔に手を差し込んでハーフサイズの金具を天井裏で組み立て、さらに組み立てた状態で前記埋込孔に合わせて補強金具を設置する作業は非常に困難であった。
【０００７】
本発明は、このような従来技術の問題点に鑑みてなされたもので、天井裏での組み立てが不要であり、且つ天井材の上面に確実に固定することができるダウンライト型照明器具の補強部材とその取付構造を提供するにある。
【課題を解決するための手段】
【０００８】
請求項１に記載したダウンライト型照明器具取付用の補強部材１は、
天井材１０に穿設されたダウンライト型照明器具Ａの埋込孔１１の内周面の周長の半分以下の長さで、その高さＨが天井材１０の厚みＴより小さく、前記埋込孔１１の内周面に合わせて円弧状に曲げられる保護辺部２と、
前記保護辺部２の一辺から折り曲げて形成され、天井材１０の上面１０ａを覆う被覆片部３と、
前記保護片部２の他辺から前記被覆片部３と同方向に折り曲げられた爪部４とで構成されていることを特徴とする。
【０００９】
請求項２に記載したダウンライト型照明器具Ａの取付構造は、
ダウンライト本体２０の埋込孔１１が形成された天井材１０と、
保護辺部２が前記埋込孔１１の内周面に沿って配設されると共に、被覆片部３が天井材１０の上面１０ａを覆うように配設され、且つ爪部４が前記内周面に打ち込まれた請求項１に記載の補強部材１と
前記埋込孔１１に挿入され、前記保護辺部２と前記被覆片部３との境界角部５に弾接してダウンライト本体２０を前記埋込孔１１に固定するための取付ばね２２を有するダウンライト本体２０とで構成されたことを特徴とする。
【発明の効果】
【００１０】
本発明の補強部材１は爪部４を有するので、爪部４を埋込孔１１の内周面に打ち込むだけで埋込孔１１の内周面と天井材１０の上面１０ａを固定的に保護することができる。そして、ダウンライト本体２０を埋込孔１１に装着しようとした時、ダウンライト本体２０やその取付ばね２２が補強部材１に接触したとしても外れることがなく、補強部分の埋込孔１１を保護できる。装着後、ダウンライト型照明器具Ａの取付ばね２２は保護片部２と被覆片部３の境界角部５に弾接することになり、天井材１０の埋込孔１１を内周面の上側角部を保護することができる。
【図面の簡単な説明】
【００１１】
【図１】本発明のダウンライト型照明器具取付部の補強構造の断面図である。
【図２】本発明の補強部材の取り付け状態の斜視図である。
【図３】本発明の補強部材の施工前の状態の斜視図である。
【図４】図３の補強部材を埋込孔に合わせて曲げた時の斜視図である。
【図５】本発明に使用するダウンライト型照明器具の斜視図である。
【図６】図５の取付ばねの装着部分の部分拡大図である。
【発明を実施するための形態】
【００１２】
以下、本発明を図示実施例にしたがって詳述する。補強部材１は金属板材を加工して作られたもので、保護片部２、被覆片部３及び爪部４とで構成される（図３）。保護片部２は、細長い金属板片でその長さＬは、後述する天井材１０に穿設される埋込孔１１の周長の半分以下の長さで、その高さＨは天井材１０の厚みＴより小さい。そして、被覆片部３は、保護辺部２の一辺から９０°に折り曲げられて形成されている。被覆片部３には保護辺部２の前記一辺（被覆片部３と保護辺部２との境界角部５）から反対側の端縁５ａに至る切断ライン６が複数本形成されており、短冊状の被覆小片３ａに分離されている。
爪部４は保護辺部２の他辺の両端に設けられ、該他辺から９０°に折り曲げられて形成されている。折り曲げ方向は被覆片部３と同じ方向である。そして、爪部４は、先端に行くほど尖った三角形状に形成されている。なお、爪部４は保護辺部２の他辺の両端に設けられている例を示したが、これに限られず、仮想線で示すように保護辺部２の他辺の中央部分に更に設けてもよい。
【００１３】
ダウンライト本体２０のハウジング２１は、下面が円形に開口した逆椀状で、その開口周縁にダウンライト装着用の埋込孔１１の周縁を隠す額縁２４が全周にわたって延出されている。即ち、額縁２４の外周円の直径は、埋込孔１１の直径より大に形成されている。そしてハウジング２１の内部中央付近に光源２５が設けられている。
【００１４】
図５の実施例では、ハウジング２１の側面には３箇所の縦向きの取付溝２６が等分に設けられ、取付けばね２２の取付部２２ａが嵌め殺し状態で装着されている。
取付ばね２２は帯状の金属板（例えば、ステンレスばね鋼）で形成され、そのばね本体２２ｂは取付部２２ａの下端で屈曲され側方に延びるように設けられている。ばね本体２２ｂの途中に湾曲された弾接部２２ｃが形成されている。取付ばね２２の取り付け前の状態では、ハウジング２１に対してばね本体２２ｂは外側方（放射方向）に伸びており、後述するように取り付け後は、ばね本体２２ｂが上記境界角部５に弾接して取付部２２ａの下端で曲がり、上向き末広がり状（即ち、先端に行くほど取付ばね２２の間隔が広がる。）に延在する。
【００１５】
天井材１０は、柔らかいロックウール吸音板や欠けることのある石膏ボード等、防火性の優れた素材が用いられる。天井材１０には、例えばホールソーのような切削工具で埋込孔１１が穿設される。埋込孔１１の大きさはハウジング２１の額縁２４より小さく、取付ばね２２をすぼめた状態でハウジング２１の挿入可能な大きさ（ハウジング２１の側面に設けられた複数の取付ばね２２の外接円）より大きい。
【００１６】
上記のダウンライト照明器具Ａを埋込配設するに際し、まず、補強部材１を埋込孔１１の内周面に取り付ける。図４に示すように補強部材１の保護片部２を前述の埋込孔１１の内周面に合わせて湾曲させる。これにより被覆片部３が保護片部２から放射状に開く。保護片部２の長さが埋込孔１１の内周面の周長の半分の場合は、二つの補強部材１を用いる。
【００１７】
まず、一方の補強部材１の保護片部２を埋込孔１１の内周面に沿わせ、被覆片部３が天井材１０の上面１０ａを覆うように配設する。この状態で爪部４を埋込孔１１の内周面に打ち込む。続いて、二つ目の補強部材１を最初の補強部材１と同様に曲げ、空いている埋込孔１１の内周面に打ち込む。これにより埋込孔１１の上部孔縁は補強部材１により保護されることになる。
また、保護片部２の長さＬが前記周長の半分より短い場合（例えば、１／３の場合）、前記内周面を３等分して取り付けても良い。
【００１８】
上記場合、埋込孔１１の内周面の全周を保護することが好ましいが、補強部材１の長さＬが短い場合、補強部材１により保護されない部分も発生するが、取付ばね２２のセット位置に合わせて取り付けるようにしてもよい。
【００１９】
次に、ダウンライト型照明器具Ａの取り付けであるが、ダウンライト型照明器具Ａの各取付ばね２２のばね本体２２ｂの基部を弾性変形させてその先端をすぼめるようにした状態で取付ばね２２を室内側から埋込穴１１内に導入し、然る後、ハウジング２１を上方に押し込む。すると、天井裏で弾性復帰した取付ばね２２の弾接部２２ｃは埋込孔１１に取り付けられた各保護部材１に３方向においてその境界角部５に斜め上から弾接する。換言すれば、弾接部２２ｃは埋込穴１１に直接接触しない。そして、補強部材１は天井材１０と異なり、金属材で形成されているため、凹んだり破損するようなことがない。
【００２０】
埋込孔１１に挿入されたハウジング２１の額縁２４は天井材１０の下面において、埋設孔１１の孔縁に係止してその全周を覆う。その結果、ハウジング２１の外周面と埋込穴１１の内周面との間の隙間は、額縁２４によって覆われ、室内側から見て該隙間が室内側に露出することがない。そしてこのように額縁２４と弾接部２２ｃとで天井材１０とこれに固着された補強部材１が挟まれることで、ダウンライト型照明器具Ａは天井材１０に対して固定され埋込配設が完了する。
【符号の説明】
【００２１】
Ａ：ダウンライト型照明器具、Ｈ：保護辺部の高さ、Ｌ：保護辺部の長さ、１：補強部材、２：保護辺部、３：被覆片部、４：爪部、５：境界角部、６：切断ライン、１０：天井材、１０ａ：上面、１１：埋込孔、１２：上部孔縁、２０：ダウンライト本体、２１：ハウジング、２２：取付ばね、２２ａ：取付部、２２ｂ：ばね本体、２２ｃ：弾接部、２４：額縁、２５：光源、２６：取付溝
【図１】
2019067646.tif 000003
【図２】
2019067646.tif 000004
【図３】
2019067646.tif 000005
【図４】
2019067646.tif 000006
【図５】
2019067646.tif 000007
【図６】
2019067646.tif 000008